(57)【特許請求の範囲】
【請求項１】
旋回フレーム（１１）上に運転席（３）を設けた建設機械において、該運転席（３）の前部側方に操作装置（９）を配設し、該操作装置（９）は下部を、前記運転席（３）を支持するシートマウント（２０）の側方に回動自在に支持し、該運転席（３）への搭乗の際に、該操作装置（９）を後方に回動可能とし、前記シートマウント（２０）を補強する補強部材（２３）を、該操作装置（９）の斜め後方に配置し、該補強部材（２３）は、上端を該シートマウント（２０）の後上部に接続し、該上端より斜め前方に延出し、下端を旋回フレーム（１１）に接続し、該操作装置（９）の側方の旋回フレーム（１１）上に側方ボンネット（７）を設け、該操作装置（９）と側方ボンネット（７）との間の空きスペースにおいて、前記補強部材（２３）上に、グリースガン（３３）を収納可能とするグリースガンホルダを固設し、該グリースガンホルダは、該グリースガン（３３）の本体筒部を把持するキャッチャバネであるホルダ（３２）と、先端部をガイドし、ずり落ちを防止するＵ字金具からなるストッパ（２９）と、グリース注油ホース（３６）を受けるホース受け（２８）とから構成し、該側方ボンネット（７）の前側傾斜に合わせて、同方向に傾斜した前記補強部材（２３）の上面に、後方から順に、ホルダ（３２）とストッパ（２９）とグリース注油ホース受け（２８）を固設配置したことを特徴とする建設機械のグリースガン収納構造。
【発明の詳細な説明】
【０００１】
【発明の属する技術分野】
本発明は、建設機械に積載されるグリースガンを収納するためのグリースガン収納構造に関する。
【０００２】
【従来の技術】
従来、建設用の作業車においては、運転席のシート下に収納ボックスを設け、グリースガンなどの工具を収納している。また、特開平１０−１９７５号公報に示されるごとく、キャノピ支柱間に開閉可能な収納ボックスを設け、グリースガン等の工具を収納したり、特開平１１−３２４０２２号公報に示されるごとく、上部旋回体の前面角部の外板に工具収納の凹部を設けるものも知られている。さらに、特開２０００−６４３５５号公報に示されるごとく、コンソールと機械室カバー間に収納ボックスを配設するものも知られている。
【０００３】
【発明が解決しようとする課題】
グリースガン等をボックス内に収納する場合には、ボックス内がグリースにより汚れると、洗浄が困難である。されに、他の工具や取り扱い説明書にグリースが付着する場合がある。このため、グリースガン専用の収納スペースが必要であり、使用頻度の高いグリースガンを取り出しやすい場所に配設する必要がある。
【０００４】
【課題を解決するための手段】
本発明は、上記課題を解決するために次の如く構成したものである。
【０００５】
旋回フレーム（１１）上に運転席（３）を設けた建設機械において、該運転席（３）の前部側方に操作装置（９）を配設し、該操作装置（９）は下部を、前記運転席（３）を支持するシートマウント（２０）の側方に回動自在に支持し、該運転席（３）への搭乗の際に、該操作装置（９）を後方に回動可能とし、前記シートマウント（２０）を補強する補強部材（２３）を、該操作装置（９）の斜め後方に配置し、該補強部材（２３）は、上端を該シートマウント（２０）の後上部に接続し、該上端より斜め前方に延出し、下端を旋回フレーム（１１）に接続し、該操作装置（９）の側方の旋回フレーム（１１）上に側方ボンネット（７）を設け、該操作装置（９）と側方ボンネット（７）との間の空きスペースにおいて、前記補強部材（２３）上に、グリースガン（３３）を収納可能とするグリースガンホルダを固設し、該グリースガンホルダは、該グリースガン（３３）の本体筒部を把持するキャッチャバネであるホルダ（３２）と、先端部をガイドし、ずり落ちを防止するＵ字金具からなるストッパ（２９）と、グリース注油ホース（３６）を受けるホース受け（２８）とから構成し、該側方ボンネット（７）の前側傾斜に合わせて、同方向に傾斜した前記補強部材（２３）の上面に、後方から順に、ホルダ（３２）とストッパ（２９）とグリース注油ホース受け（２８）を固設配置したものである。
【０００６】
【発明の実施の形態】
次に、本発明の実施の形態を、図面に基づいて説明する。
【０００７】
図１は掘削作業車の全体構成を示す側面図、図２は同じく正面図、図３はシートマウントの構成を示す正面図、図４は同じく側面図である。
【０００８】
図５はグリスガンホルダの構成を示す斜視図、図６は同じく平面図、図７は同じく側面図、図８は補強部材の構成を示す側面図である。
【０００９】
図９はグリースガンの構成を示す側面一部断面図、図１０はホルダに保持されたグリースガンの構成を示す正面図、図１１は同じく平面図である。
【００１０】
図１２は同じく側面図、図１３はホースを接続したグリースガンの接続構成を示す側面図、図１４はカギをかけた状態のグリースガンを示す内側側面図である。
【００１１】
まず、本発明の建設機械の実施例として、クローラ式走行装置を搭載した掘削作業車の構成について説明する。図１において、掘削作業車は、クローラ式走行装置１の上部中央に旋回台軸受を配置し、該旋回台軸受により旋回体８を左右旋回可能に軸受支持している。該クローラ式走行装置１の前もしくは後一端部において、排土板１０を上下回動自在に配設している。
【００１２】
旋回体８の下部は旋回フレーム１１により構成されている。旋回フレーム１１の側部にはサイドカバーが装着されており、後部にはカウンタウェイト１３が配設されるものである。旋回フレーム１１上には運転席３が配設されており、運転席３の側方には操作装置９が配設されている。旋回フレーム１１の後部外周上にはサイドボンネット７および後部ボンネットが配設されるものである。旋回体８上部にはキャノピー２が構成せれており、該キャノピー２の支柱は旋回体８の後部に配設されるものである。
【００１３】
旋回体８の前部には、旋回フレーム１１が突出しており、該旋回フレーム１１の前端部にはブームブラケット１２が左右回動自在に取り付けられておいる。ブームブラケット１２には、ブーム６の下端部が上下回動自在に枢支されている。該ブーム６の先端部はアーム５の基部が枢支されており、該アーム５の先端部にはバケット４等の機器が装着されるものである。ブームシリンダ１４の下端はブームブラケット１２に回動自在に枢支されており、該ブームシリンダ１４を伸縮することにより、ブーム６をブームブラケット１２に対して回動するものである。ブーム６の上部にはアームシリンダ１５が配設されており、該アームシリンダ１５の伸縮によりアーム５がブーム６に対して回動するものである。アーム５の上面にはバケットシリンダ１６が配設されており、該バケットシリンダ２４の先端にはリンク機構を介して、バケット４が接続されている。該バケット４は、アーム５の先端部において回動自在に枢支されており、バケットシリンダ２４の伸縮により、アーム５に対して回動するものである。
【００１４】
次に、旋回フレーム１１上に配設されるシートマウント２０の構成について、図３および図４を用いて説明する。旋回フレーム１１上には、ステップ２１およびシートマウント２０が固設されている。シートマウント２０は旋回フレーム１１の後部に固設されており、シートマウント２０の後部はキャノピー２を支持するブラケット２２に固設されている。ブラケット２２は旋回フレーム１１の後部に立設されており、該ブラケット２２の上部がシートマウント２０の後上部に接続されるものである。シートマウント２０の後上部には、さらに補強部材２３が接続されている。補強部材２３はシートマウント２０の側方に配設されており、該補強部材２３の上端がシートマウント２０の後上部に接続され、下端が旋回フレーム１１に接続されるものである。なお、補強部材２３は旋回フレーム２３の周部より内側後方に向けて延出されるものである。
【００１５】
次に、補強部材２３を用いたグリースガンの収納構成について図５乃至図７を用いて説明する。補強部材２３は運転席３の側方に配設されており、該補強部材２３の外側にはサイドボンネット７が配設されているものである。サイドボンネット７には旋回体８上に搭乗する際に用いる手すり２４の一端が接続されている。手すり２４の一端はサイドボンネット７の上部中央に接続されており、他端は旋回フレーム１１に固設されているものである。手すり２４はサイドボンネット７の上部中央より、旋回体８の外周に沿って前方に向けて延出された構成となっている。運転席３の前部側方には、操作装置９が配設されており、該操作装置９の外側方に前記手すり２４が配設されるものである。操作装置９は下部を、前記シートマウント２０により回動自在に支持されており、運転席３への搭乗の際には、該操作装置９を後方に回動させ、乗り降りを容易にするものである。
【００１６】
補強部材２３は操作装置９の斜め後方かつ、手すり２４の後下方に配設されるものである。補強部材２３は後端より斜め前方に延出され、前端は前下方に延出され、旋回フレーム１１に固設されている。補強部材２３にはホルダが構成されており、該ホルダにグリースガン３３等の工具を収納できるものである。補強部材２３に設けたホルダにより工具を収納するので、運転席３とサイドボンネット７間の空間を有効に利用することができる。工具収納部は側方をサイドボンネット７により被装されるとともに、前方には操作装置９および手すり２４が配設され、工具収納部が外観上見えにくい位置に配設されるものである。このため、掘削作業車の美的外観を損なうことがなく、掘削作業車への乗降および操作に影響を与えない場所に工具を収納することができるものである。さらに、工具をサイドボンネット７の内側かつ運転席３の側方とすることにより、運転席３の作業者からは工具の有無を容易に確認することができる構成となっている。
【００１７】
次に、補強部材２３の構成について、図８乃至図１２を用いて説明する。補強部材２３は旋回フレーム１１とシートマウント２０を接続し、シートマウント２０を補強可能であれば良い。本実施例においては、補強部材２３は断面視円形の中空パイプにより構成されている。補強部材２３の端部にはフランジ２６・２７が設けられており、該フランジ２６・２７により補強部材２３が旋回フレーム１１およびシートマウント２０に固設されるものである。補強部材２３の上部上面側にはプレート３１が固設されており、補強部材２３の上面に沿ってプレート３１の下方にはステー３０が設けられている。そして、ステー３０の下方にはストッパ２９が配設されており、該ストッパ２９の下方にはホース受け２８が構成されているものである。
【００１８】
プレート３１には孔が設けられており、該孔に工具を係止するための結束具を装着可能に構成されている。プレート３１には工具の盗難を防ぐためにカギを取付けることも可能であり、フック等により工具を係止することも可能である。ステー３０にはＣ字状のホルダ３２が取付けられ、該ホルダ３２によりグリースガン３３を保持するものである。ステー３０の上面にはホルダ３２が開口部を上に向けた状態で固設される。ホルダ３２はグリースガン等の工具を保持可能であれば良く、特に限定されるものではない。本実施例においては、ホルダ３２をキャッチャバネにより構成し、開口部よりグリースガン３３を挿入し、ホルダ３２により嵌合保持する構成をとっている。板バネの代わりに樹脂製にプレートをＣ字状に構成したものを利用することも可能である。
【００１９】
ストッパ２９は正面視Ｕ字状に構成されたＵ字金具であり、該ストッパ２９の上端にはキャップ３４・３４（図８）が装着されている。キャップ３４は樹脂製もしくはゴム製さらにはコルクにより構成することが可能であり、グリースガン３３がストッパ２９に当接する際に衝撃を和らげるものである。ホルダ３２に嵌合したグリースガン３３は下部（先端側）をストッパ２９に当接させることにより、ずり落ちを防止するものである。ストッパ２９は開口部を上に向け、補強部材２３に固設されており、上部開口側よりグリースガン３３がストッパ２９の内側に挿入されるものである。
【００２０】
グリースガン３３は図９に示すごとく、グリースを封入する円筒部３３ａ、グリースが吐出する先端部３３ｂ、グリースの押しだしを行うハンドル部３３ｃおよびチェーン３５により構成されるものである。円筒部３３ａ内において、グリースパックは該円筒部３３ａ内に配設されたバネにより先端部３３ｂ側に付勢されている。そして、ハンドル部３３ｃを円筒部３３ａより離れる方向に回動させることにより、先端部３３ｂにグリースが導入される。ハンドル部３３ｃを円筒部３３ａに近づける方向に回動させることにより、導入されたグリースが先端部３３ｂより吐出されるものである。
【００２１】
グリースガン３３の先端部３３ｂは縦長に構成されていることから、Ｕ字状に構成したストッパ２９の内側に挿入しやすく、該先端部３３ｂを縦に保持することが可能となる。これにより、グリースガン３３のハンドル部３３ｃを上にして、該グリースガン３３を補強部材２３に保持することが可能となる。ストッパ２９はグリースガン３３のずり落ちを防止するとともに、円筒部３３ａの位置決めおよびハンドル部３３ｃの位置決めも行うものである。これにより、グリースガン３３の先端部３３ｂが下方に向いた状態で保持されるため、グリースガン３３よりグリースがしみだした場合においても、グリースによりグリースガン３３が汚れることがない。
【００２２】
グリースガン３３の先端にホースを取付けた場合においては、図１３に示すごとく、ホース３６をホース受け２８により保持することができるものである。ホース受け２８は円筒状に構成されており、下部を補強部材２３に固設した構成となっている。このため、該ホース受け２８の内側にホース３６を挿入することにより、ホース３６を確実に保持することが可能となるものである。ホース受け２８は鋼管ピースを補強部材２９に固設することにより、容易に構成することができるものである。ホース受け２８を補強部材２９に設けることにより、グリースガン３３の先端にホース３６が装着された場合においても、ホース３６の先端位置を固定し、作業機のステップがグリースにより汚れることを防止するものである。
【００２３】
次に、プレート３１によるグリースガン３３のロック構成について説明する。グリースガン３３のチェーン３５には盗難防止用チェーン３８が接続されており、該盗難防止チェーン３８は南京錠３７によりプレート３１に接続されるものである。これにより、グリースガン３３が補強部材２３に接続され、盗難防止を行うことができるものである。また、グリースガン３３のチェーン３５を、南京錠３７によりプレート３１に接続することも可能である。プレート３１は補強部材２３の上部に配設されているため、グリースガン３３の先端部３３ｂを下方とし、該グリースガン３３の上部をカギにより止めることができる。プレート３１は補強部材２３において、運転席３に近い部分に配設されているため、カギの取り外しを作業者が容易に行うことができるものである。
【００２４】
【発明の効果】
本発明は以上の如く構成したので、次のような効果を奏するのである。
旋回フレーム（１１）上に運転席（３）を設けた建設機械において、該運転席（３）の前部側方に操作装置（９）を配設し、該操作装置（９）は下部を、前記運転席（３）を支持するシートマウント（２０）の側方に回動自在に支持し、該運転席（３）への搭乗の際に、該操作装置（９）を後方に回動可能とし、前記シートマウント（２０）を補強する補強部材（２３）を、該操作装置（９）の斜め後方に配置し、該補強部材（２３）は、上端を該シートマウント（２０）の後上部に接続し、該上端より斜め前方に延出し、下端を旋回フレーム（１１）に接続し、該操作装置（９）の側方の旋回フレーム（１１）上に側方ボンネット（７）を設け、該操作装置（９）と側方ボンネット（７）との間の空きスペースにおいて、前記補強部材（２３）上に、グリースガン（３３）を収納可能とするグリースガンホルダを固設し、該グリースガンホルダは、該グリースガン（３３）の本体筒部を把持するキャッチャバネであるホルダ（３２）と、先端部をガイドし、ずり落ちを防止するＵ字金具からなるストッパ（２９）と、グリース注油ホース（３６）を受けるホース受け（２８）とから構成し、該側方ボンネット（７）の前側傾斜に合わせて、同方向に傾斜した前記補強部材（２３）の上面に、後方から順に、ホルダ（３２）とストッパ（２９）とグリース注油ホース受け（２８）を固設配置したので、旋回体上の空間を有効に利用可能であり、清掃性が向上する。さらに、運転席からは見やすく、外観上目立たない場所に工具を収納することができる。
【００２５】
また、側方ボンネットの前側傾斜に合わせて、グリースガンホルダを傾斜設置させたので、旋回体上の空間を有効に利用可能であり、他の工具や説明書がグリースにより汚れる事が無く、清掃性が向上する。さらに、運転席から取出しやすく、外観上目立たない場所にグリースガンを収納することができる。
【００２６】
また、上部旋回体に運転席を設けた建設機械において、前記運転席側方の操作装置と旋回体側方ボンネット間の空きスペースに設けたシートマウントの補強部材に、グリースガンホルダを固着したので、容易な構成によりグリースガンの収納部を構成することができる。さらに、運転席から取出しやすく、外観上目立たない場所にグリースガンを収納することができる。
【００２７】
また、グリースガンホルダはガン本体筒部を把持するキャッチャバネとガン先端部をガイドするＵ字金具から構成したので、グリースガンのレバー（ハンドル）の向きを容易に規制することができる。グリースガンからグリースが漏れにくい状態で保持することが可能である。
【００２８】
また、キャッチャバネを後方に、先端ガイドＵ字金具を前方に固着したので、グリースガンナが手方向の位置決めを容易に行うことができ、取出しも容易となる。
【００２９】
また、先端ガイドＵ字金具の下方に、グリース注油ホース受けを固着したので、グリースガンの注入口を収納することができ、グリースによる汚れを防止することができる。
【図面の簡単な説明】
【図１】  掘削作業車の全体構成を示す側面図。
【図２】  同じく正面図。
【図３】  シートマウントの構成を示す正面図。
【図４】  同じく側面図。
【図５】  グリスガンホルダの構成を示す斜視図。
【図６】  同じく平面図。
【図７】  同じく側面図。
【図８】  補強部材の構成を示す側面図。
【図９】  グリースガンの構成を示す側面一部断面図。
【図１０】  ホルダに保持されたグリースガンの構成を示す正面図。
【図１１】  同じく平面図。
【図１２】  同じく側面図。
【図１３】  ホースを接続したグリースガンの接続構成を示す側面図。
【図１４】  カギをかけた状態のグリースガンを示す内側側面図。
【符号の説明】
３  運転席
７  側方ボンネット
９  操作装置
２０  シートマウント
２３  補強部材
２４  手すり
【図１】
0004362212.tif 000002
【図２】
0004362212.tif 000003
【図３】
0004362212.tif 000004
【図４】
0004362212.tif 000005
【図５】
0004362212.tif 000006
【図６】
0004362212.tif 000007
【図７】
0004362212.tif 000008
【図８】
0004362212.tif 000009
【図９】
0004362212.tif 000010
【図１０】
0004362212.tif 000011
【図１１】
0004362212.tif 000012
【図１２】
0004362212.tif 000013
【図１３】
0004362212.tif 000014
【図１４】
0004362212.tif 000015